(57)【特許請求の範囲】
【請求項１】
少なくとも一側面が開口した箱状体及びこの箱状体に出し入れ可能に設けられた引き出しとから構成されるとともに上面にマットレスが載置される載置体と、
この載置体の長手方向一端面に取り付けられる第１の支持体と、
上記載置体の長手方向他端面に取り付けられ上記第１の支持体とで上記箱状体を所定の高さで浮上させて支持する第２の支持体と
を具備し、
上記載置体は、
幅寸法が上記マットレスの幅寸法よりも小さく形成されその長手方向の一端面と他端面とが上記第１の支持体と第２の支持体との幅方向一端側に取り付けられた上記箱状体と、
上記第１，第２の支持体の幅方向他端に長手方向一端と他端とが連結されて設けられた側板と、
この側板の内面と上記箱状体の他側面とに設けられた受け桟に幅方向両端部を係合させて上面を上記箱状体の上面と同じ高さにして架設され上記マットレスを上記箱状体との上面で支持する床板と
から構成されていることを特徴とするベッド装置。
【請求項２】
上記引き出しを引き出した状態で、この引き出しの引き出された部分の上面に設けられるベッド用テーブルとなる載置板を具備したことを特徴とする請求項１記載のベッド装置。
【発明の詳細な説明】
【技術分野】
【０００１】
この発明はベッド本体に引き出しが出し入れ可能に設けられるベッド装置に関する。
【背景技術】
【０００２】
一般に、ベッド装置はベッド本体を有する。このベッド本体は所定の間隔で平行に離間した一対の側板を有し、これら側板の長手方向一端にはヘッドボード、他端にはフットボードが設けられている。一対の側板間にはマットレスが載置される床板が架設される。
【０００３】
このような構成のベッド装置では床板の下面側の空間が有効に利用されていないということがある。そこで、ヘッドボードとフットボードとの間に、上記床板に代わり、側面が開口した箱状体を設け、この箱状体内に開口した側面から出し入れ可能に引き出しを設ける。それによって、この引き出しを衣類や小物類などの収容部とすることで、床板の下面側の空間を有効に利用するということが行なわれている。  
従来、ヘッドボードとフットボードとの間に箱状体を設ける場合、この箱状体は下面が床面に対して隙間が生じることのない高さとなっていた。
【発明の開示】
【発明が解決しようとする課題】
【０００４】
箱状体の下面と床面との間に隙間がないと、引き出しを箱状体から引き出すときに、引き出しの前端面の下端に手を掛け難いため、その引き出しを容易に引き出すことができないということがある。そればかりか、マットレス上に仰臥した利用者が立ち上がるときに、箱状体の側面に近い位置に足を置くと、その箱状体の側面に踵をぶつけ易いということがあったり、箱状体の下面側の床面に溜まるほこりの掃除がし難いなどのこともある。
【０００５】
この発明は、引き出しに手を掛け易くすることで使い易くし、しかも利用者が立ち上がるときに箱状体の側面に踵をぶつけることがなく、さらに箱状体の下面側の清掃も容易に行うことができるベッド装置を提供することにある。
【課題を解決するための手段】
【０００６】
この発明は、少なくとも一側面が開口した箱状体及びこの箱状体に出し入れ可能に設けられた引き出しとから構成されるとともに上面にマットレスが載置される載置体と、
この載置体の長手方向一端面に取り付けられる第１の支持体と、
上記載置体の長手方向他端面に取り付けられ上記第１の支持体とで上記箱状体を所定の高さで浮上させて支持する第２の支持体と
を具備し、
上記載置体は、
幅寸法が上記マットレスの幅寸法よりも小さく形成されその長手方向の一端面と他端面とが上記第１の支持体と第２の支持体との幅方向一端側に取り付けられた上記箱状体と、
上記第１，第２の支持体の幅方向他端に長手方向一端と他端とが連結されて設けられた側板と、
この側板の内面と上記箱状体の他側面とに設けられた受け桟に幅方向両端部を係合させて上面を上記箱状体の上面と同じ高さにして架設され上記マットレスを上記箱状体との上面で支持する床板と
から構成されていることを特徴とするベッド装置にある。
【発明の効果】
【０００８】
この発明によれば、引き出しが設けられる箱状体が第1の支持体と第２の支持体とによって所定の高さで浮上して支持されるため、箱状体の下面側に手を入れ、引き出しの先端面の下端に手を容易に掛けることができるから、引き出しの出し入れを容易に行うことが可能となる。
【発明を実施するための最良の形態】
【０００９】
図１はこの発明のベッド装置の分解斜視図であって、このベッド装置は載置体１を備えている。この載置体１は、箱状体２と、長手方向中途部で分割された２枚の床板３とから構成されている。上記箱状体２は一側面が開口していて、内部は２つの仕切り板４によって３つの収納部５に区画されている。各収納部５にはそれぞれ上面が開口した箱形状の引き出し６が出し入れ可能に設けられている。各引き出し６の前面板６ａは各収納部５の開口面よりもわずかに大きく設定されている。この前面板６ａの下端面には、図３に示すように引き出し６を引き出すときに手を掛けるための凹状の手掛け部７が形成されている。
【００１０】
上記箱状体２は長手方向両端に位置する一対の端板１１ａ，１１ｂが箱状体２の幅寸法よりも長く形成されていて、一端部を箱状体２の他側面側に突出させている。この端板１１ａ，１１ｂの長手方向の両端部にはそれぞれ取付け孔１２が形成されている。
【００１１】
箱状体２の一方の端板１１ａには第１の支持体としてのヘッドボード１３が取り付けられ、他方の端板１１ｂには第２の支持体としてのフットボード１４が取り付けられる。すなわち、上記ヘッドボード１３とフットボード１４は上記箱状体２の幅寸法の約２倍の幅寸法に形成されている。ヘッドボード１３の前面の幅方向中央部の、下端から所定の高さには一対の第１のねじ孔１５が幅方向に離間して形成され、両端部には一対の第２のねじ孔１６が上下方向に離間して形成されている。下側の第２のねじ孔１６が第１のねじ孔１５と同じ高さに設定されている。
【００１２】
つまり、ヘッドボード１３には幅方向中央を中心にして左右対称に第１、第２のねじ孔１５，１６が形成されている。なお、図示しないが、フットボード１４の前面にも、ヘッドボード１３と同様に第１、第２のねじ孔が左右対称に形成されている。
【００１３】
上記ヘッドボード１３は、上記箱状体２の一方の端板１１ａに形成された一対の取付け孔１２に挿入された第１のねじ１７を、幅方向一端側に位置する第１のねじ孔１５と下側に位置する第２のねじ孔１６とに捩じ込むことで、上記箱状体２の一端面に連結固定されている。上記フットボード１４は、ヘッドボード１３と同様、一対の第２のねじ１８をフットボード１４の幅方向一端側の第１、第２のねじ孔１５，１６に捩じ込むことで、箱状体２の他端面に連結固定されている。
【００１４】
上記箱状体２は、上記ヘッドボード１３とフットボード１４によって所定の高さで支持されている。一対のボード１３，１４による箱状体２の支持高さは、たとえばこの箱状体２の厚さ寸法と同程度に設定されている。それによって、箱状体２は床面から浮上し、その下面側には図２と図３に示すように所定の高さの空間部１９が形成される。なお、箱状体２は、長手方向中途部下面の２箇所が補助脚２０によって支持されている。
【００１５】
上記ヘッドボード１３とフットボード１４との幅方向の他端には、帯板状の側板２１が取り付けられている。つまり、側板２１の長手方向両端にはＬ字状をなした連結金具２２の一辺が取付け固定されている。この連結金具２２の他辺には上下一対の鉤部が形成され、この鉤部はヘッドボード１３とフットボード１４との幅方向他端に形成された第２のねじ孔１６に第３のねじ２３によって取付け固定される。
【００１６】
図３に示すように、上記側板２１の内面と、上記箱状体２の他側外面とにはそれぞれ受け桟２４が設けられている。一対の受け桟２４には上記床板３が幅方向両端部を係合させて架設される。つまり、床板３は箱状体２と側板２１との間に設けられる。
【００１７】
図１に示すように、一対の受け桟２４の長手方向中央部にはそれぞれ係合孔２５（一方のみ図示）が上面に開口して形成されている。一対の受け桟２４の係合孔２５には、反り止め防止部材２６がＬ字状に折曲された両端部を係合させて設けられている。それによって、上記反り止め防止部材２６は側板２１が幅方向外方へ湾曲するのを防止している。  
上記箱状体２の上面と、上記床板３の上面とは面一となっていて、これらの面にはマットレス２６が載置される。
【００１８】
このような構成のベッド装置によれば、上面にマットレス２６が載置される載置体１の箱状体２は、ヘッドボード１３とフットボード１４とによって床面から浮上し、下面側に空間部１９を形成する高さで支持されている。
【００１９】
そのため、上記箱状体２に収容された引き出し６を利用する場合、利用者は前面板６ａの下端側に手を差込むことができるから、上記前面板６ａの下端に形成された手掛け部７に手を掛けて上記引き出し６を容易に引き出すことができる。
【００２０】
床面の箱状体２の下面に対応する箇所にはほこりが溜まり易い。しかしながら、箱状体２の下面側の床面にほこりが溜まっても、箱状体２が床面から浮上して支持されていることで、この箱状体２の下面側に空間部１９を形成しているから、箱状体２の下面側の清掃を容易に行うことができる。
【００２１】
利用者がマットレス２６上から降りる場合、利用者は足を箱状体２の一側面に近い位置に降ろすことが多い。その場合、利用者は足の踵を箱状体２の側面にぶつけ易いということがある。しかしながら、上記箱状体２は床面から浮上して支持されているから、利用者が足を箱状体２の近くに降ろしても、踵が箱状体２の側面にぶつかることがない。
【００２２】
このように、マットレス２６を載置する載置体１の一部を引き出し６が出し入れ可能に設けられた箱状体２とすることで、マットレス２６の下面側の空間部を有効に利用することができるばかりか、箱状体２を浮上させて支持することで、上記引き出し６を容易に引き出すことが可能となる。
【００２３】
ヘッドボード１３とフットボード１４には、第１のねじ孔１５と第２のねじ孔１６とが幅方向中央に対して左右対称に形成されている。そのため、ベッド装置の幅方向一端側を壁面側にして設置する場合、箱状体２を各ボード１３，１４の幅方向他端側に設け、側板２１を幅方向一端に架設する。それによって、上記箱状体２に収容された引き出し６を出し入れすることが可能となる。
【００２４】
各引き出し６は物入れとして利用することができるばかりでなく、小物類の載置部としても利用することができる。たとえばヘッドボード１３側の引き出し６を半分程度引き出した状態で、図１に鎖線で示すようにこの引き出し６の引き出された部分の上面開口を閉塞する状態で載置板２７を設ける。それによって、利用者は、就寝時などに載置板２７の上面にめがねや水差しなどの小物類を載置することができる。つまり、載置板２７を用意しておくことで、引き出し６をベッド用テーブルとしても利用することが可能となる。
【００２５】
なお、ヘッドボード１３側の引き出し６だけでなく、他の引き出し６も、同様に利用することができる。
【００２６】
この発明は上記一実施の形態に限定されるものでなく、種々変形可能である。たとえば、マットレスが載置される載置体を箱状体と床板とで構成したが、床板を用いずに箱状体だけとしてもよい。その場合、箱状体の幅寸法はマットレスの幅寸法とほぼ同じに設定される。また、箱状体に出し入れ可能に設けられる引き出しは、この箱状体の一側面と他側面との両方から引き出せるようにしてもよく、その場合、引き出しの奥行き寸法を箱状体の幅寸法の約半分としてもよい。
【図面の簡単な説明】
【００２７】
【図１】この発明の一実施の形態のベッド装置を示す分解斜視図。
【図２】ベッド装置をフットボード側から見た正面図。
【図３】ベッド装置を長手方向中途部で幅方向に沿って断面した図。
【図４】ベッド装置の側面図。
【符号の説明】
【００２８】
１…載置体、２…箱状体、３…床板、６…引き出し、１３…ヘッドボード（第１の支持体）、１４…フットボード（第２の支持体）、２６…マットレス。
【図１】
0003663201.tif 000002
【図２】
0003663201.tif 000003
【図３】
0003663201.tif 000004
【図４】
0003663201.tif 000005